(57)【要約】【課題】傾斜している設置面に設置した場合にも円滑な開閉状態を維持することができ、しかも簡単な構造にして、故障が少なく、耐久性に優れた伸縮門扉を提供する。【解決手段】複数のクロスバー２、３を右方向および左方向に傾斜させ、それぞれの交点を軸支した伸縮柵１と、この伸縮柵１の両側に位置するクロスバー２、３の交点を軸支した縦枠１１ａ、１１ｂと、前記伸縮柵１の両側の設置面Ｓに水平面に対して鉛直状態に立設した支柱２１、２１の上部または下部に設けられた角度調節手段４１によって、設置面Ｓに対して鉛直状態に調節できるようにして、前記支柱２１、２１に取り付けられた補助支柱３１、３１とからなり、前記縦枠１１ａ、１１ｂの一方を、前記補助支柱３１と平行になるようにして、この補助支柱３１に連結したものとする。【選択図】図１
2008156885.tif 000002
【特許請求の範囲】
【請求項１】
複数のクロスバー（２、３）を右方向および左方向に傾斜させ、それぞれの交点を軸支した伸縮柵（１）と、この伸縮柵（１）の両側に位置するクロスバー（２、３）の交点を軸支した縦枠（１１ａ、１１ｂ）と、前記伸縮柵（１）の両側の設置面（Ｓ）に水平面に対して鉛直状態に立設した支柱（２１、２１）の上部または下部に設けられた角度調節手段（４１）によって、設置面（Ｓ）に対して鉛直状態に調節できるようにして、前記支柱（２１、２１）に取り付けられた補助支柱（３１、３１）とからなり、前記縦枠（１１ａ、１１ｂ）の一方を、前記補助支柱（３１）と平行になるようにして、この補助支柱（３１）に連結したことを特徴とする伸縮門扉。
【請求項２】
前記縦枠（１１ａ、１１ｂ）の下端部に、設置面（Ｓ）を転動する車輪（１３）を設けたことを特徴とする請求項１記載の伸縮門扉。
【請求項３】
前記伸縮柵（１）の中間部に位置する数カ所のクロスバー（２、３）の交点に、補助縦枠（１５）を連結したものとすると共に、これら補助縦枠（１５）の下端部に、設置面（Ｓ）を転動する車輪（１３）を設けたことを特徴とする請求項２記載の伸縮門扉。
【請求項４】
前記縦枠（１１ａ、１１ｂ）の一方と、前記補助支柱（３１）との連結位置を変更自在にしたことを特徴とする請求項１〜３のいずれかに記載の伸縮門扉。
【請求項５】
前記角度調節手段（４１）を、補助支柱（３１）の上部または下部を伸縮柵（１）方向に移動させて、この補助支柱（３１）を伸縮柵（１）方向に傾けることができるようにしたことを特徴とする請求項１〜４のいずれかに記載の伸縮門扉。
【請求項６】
前記角度調節手段（４１）を、支柱（２１）の上部または下部に、水平方向に長孔（４２）を有した支持部（４３ａ、４３ａ）を対向させて設けた支持部材（４３）を連結し、これら支持部（４３ａ、４３ａ）の間に補助支柱（３１）の上部または下部を差し込むと共に、この補助支柱（３１）に軸支した支軸（３２）の両端を、前記支持部（４３ａ、４３ａ）を摺動する摺動部材（４４、４４）に連結したことを特徴とする請求項１〜５のいずれかに記載の伸縮門扉。
【発明の詳細な説明】
【技術分野】
【０００１】
この発明は、住宅や車庫、建設現場や資材置場の出入口等に設置される伸縮門扉に関するものであり、特にその設置面が傾斜している場合に適した伸縮門扉に関するものである。
【背景技術】
【０００２】
従来、この種の伸縮門扉としては、例えば図９に示したようなものが存在する。この伸縮門扉は、複数本の縦向きの平行な支柱部材５１〜５５と、各支柱部材５１〜５５間に枢着して架設されるパンタグラフ状の棧部材５１ａ〜５４ｅとを具備し、前記棧部材５１ａ〜５４ｅが伸縮変形して各支柱部材５１〜５５を相互に離間または接近する動作によって開閉されるようにしている。そして、前記棧部材５１ａ〜５４ｅの中間部に、これら棧部材５１ａ〜５４ｅの同軸上で長さを変更できる長さ変更機構Ｌｍを設けたことにより、傾斜地Ｓｇに門扉を設置したとき、その傾斜角に対応し前記棧部材５１ａ〜５４ｅの長さを変更させて前記支柱部材５１〜５５を鉛直姿勢に保持しかつ開閉動作するようにしている（特許文献１）。
【０００３】
そして、この従来の伸縮門扉では、長さ変更機構Ｌｍによって、平坦地Ｈｇ、傾斜地Ｓｇに拘らず、常に門扉の支柱部材５１〜５５を鉛直な姿勢で設置し、その姿勢で開放させることができるとし、また長さ変更機構Ｌｍは、棧部材５１ａ〜５４ｅと同軸上に収まりかつその同軸上で作動するので、傾斜地に設置した場合でも、余計なリンクが棧部材５１ａ〜５４ｅからはみ出さないので、見映えの点でも至って良好であるとしている。
【特許文献１】特開２００５−３３６８１６号公報（第２頁、図１）
【発明の開示】
【発明が解決しようとする課題】
【０００４】
しかしながら、上記従来の伸縮門扉では、長さ変更機構Ｌｍを棧部材５１ａ〜５４ｅのすべてにそれぞれ設けなければならず、その設置作業が面倒であると共に、棧部材５１ａ〜５４ｅの構造が非常に複雑なものになるという問題点を有していた。
【０００５】
さらに、上記従来の伸縮門扉では、棧部材５１ａ〜５４ｅに設けた長さ変更機構Ｌｍのうち一つでも操作状態が悪くなったり故障すると、その部分の棧部材５１ａ〜５４ｅの開閉状態が悪くなったり動作しなくなり、これが棧部材５１ａ〜５４ｅの全体に影響を及ぼして、門扉の開閉動作に支障をきたすという問題点を有していた。
【０００６】
そこで、この発明は、上記従来の問題点を解決するものであり、傾斜している設置面に設置した場合にも円滑な開閉状態を維持することができ、しかも簡単な構造にして、故障が少なく、耐久性に優れた伸縮門扉を提供することを目的としてなされたものである。
【課題を解決するための手段】
【０００７】
そのため、この発明の伸縮門扉は、複数のクロスバー２、３を右方向および左方向に傾斜させ、それぞれの交点を軸支した伸縮柵１と、この伸縮柵１の両側に位置するクロスバー２、３の交点を軸支した縦枠１１ａ、１１ｂと、前記伸縮柵１の両側の設置面Ｓに水平面に対して鉛直状態に立設した支柱２１、２１の上部または下部に設けられた角度調節手段４１によって、設置面Ｓに対して鉛直状態に調節できるようにして、前記支柱２１、２１に取り付けられた補助支柱３１、３１とからなり、前記縦枠１１ａ、１１ｂの一方を、前記補助支柱３１と平行になるようにして、この補助支柱３１に連結したものとしている。
【０００８】
そして、この発明の伸縮門扉は、前記縦枠１１ａ、１１ｂの下端部に、設置面Ｓを転動する車輪１３を設けたものとしている。
【０００９】
さらに、この発明の伸縮門扉は、前記伸縮柵１の中間部に位置する数カ所のクロスバー２、３の交点に、補助縦枠１５を連結したものとすると共に、これら補助縦枠１５の下端部に、設置面Ｓを転動する車輪１３を設けたものとしている。
【００１０】
また、この発明の伸縮門扉は、前記縦枠１１ａ、１１ｂの一方と、前記補助支柱３１との連結位置を変更自在にしたものとしている。
【００１１】
さらに、この発明の伸縮門扉は、前記角度調節手段４１を、補助支柱３１の上部または下部を伸縮柵１方向に移動させて、この補助支柱３１を伸縮柵１方向に傾けることができるようにしている。
【００１２】
また、この発明の伸縮門扉は、前記角度調節手段４１を、支柱２１の上部または下部に、水平方向に長孔４２を有した支持部４３ａ、４３ａを対向させて設けた支持部材４３を連結し、これら支持部４３ａ、４３ａの間に補助支柱３１の上部または下部を差し込むと共に、この補助支柱３１に軸支した支軸３２の両端を、前記支持部４３ａ、４３ａを摺動する摺動部材４４、４４に連結したものとしている。
【発明の効果】
【００１３】
この発明の伸縮門扉は、以上に述べたように構成されているので、傾斜している設置面に設置した場合にも円滑な開閉状態を維持することができ、しかも簡単な構造となり、故障が少なく、耐久性に優れたものとなる。
【発明を実施するための最良の形態】
【００１４】
以下、この発明の伸縮門扉の実施の形態を、図面に基づいて詳細に説明する。
【００１５】
この発明の伸縮門扉は、図１に示したように、伸縮柵１と、縦枠１１ａ、１１ｂと、支柱２１、２１と、補助支柱３１、３１とからなる。
【００１６】
伸縮柵１は、複数のクロスバー２、３を右方向および左方向に傾斜させ、それぞれの交点をピン等により軸支したものとしている。
【００１７】
縦枠１１ａ、１１ｂは、前記伸縮柵１の両側に位置するクロスバー２、３のそれぞれの交点をブラケット１２を介してピン等により軸支したものとしている。これら縦枠１１ａ、１１ｂの下端部には、門扉の設置面Ｓを転動する車輪１３を設けたものとしている。さらに、縦枠１１ａ、１１ｂには、適宜個所に扉開閉用の把手１４を設けたものとしている。図示した実施の態様では、前記設置面Ｓは、右下がりの傾斜面としているが、左下がりの傾斜面としてもよい。また、伸縮柵１の中間部に位置する数カ所のクロスバー２、３の交点には、補助縦枠１５を軸支して連結したものとしており、連結位置を変更自在にしたものとしている。そして、これら補助縦枠１５の下端部には、門扉の設置面Ｓを転動する車輪１３を設けたものとしている。
【００１８】
支柱２１、２１は、前記伸縮柵１の両側の設置面Ｓに水平面に対して鉛直状態に立設したものとしている。これら支柱２１、２１の上部または下部には、角度調節手段４１を設けたものとしている。図示した実施の態様では、角度調節手段４１は、出入口の外側から見て左側の支柱２１の上部に設けると共に、同様に見て右側の支柱２１の下部に設けたものとしている。
【００１９】
補助支柱３１、３１は、前記支柱２１の上部または下部に設けられた角度調節手段４１によって、門扉の設置面Ｓに対して鉛直状態に調節できるようにして、前記支柱２１に取り付けられたものとしている。これら補助支柱３１、３１は、図示した実施の態様では、出入口の外側から見て左側の補助支柱３１の上部を前記支柱２１の上部にクランプ等の連結具２２によって連結した角度調節手段４１に取り付け、この補助支柱３１の下部を前記支柱２１の下部にクランプ等の連結具２３によって連結したブラケット２４に軸支したものとし、出入口の外側から見て右側の補助支柱３１の下部を前記支柱２１の下部にクランプ等の連結具２２によって連結した角度調節手段４１に取り付け、この補助支柱３１の上部を前記支柱２１の上部にクランプ等の連結具２３によって連結したブラケット２４に軸支したものとしている。
【００２０】
角度調節手段４１は、補助支柱３１の上部または下部を伸縮柵１方向に移動させて、この補助支柱３１を伸縮柵１方向に傾けることができるようにしている。このような角度調節手段４１は、支柱２１の上部または下部に、水平方向に長孔４２を有した支持部４３ａ、４３ａを対向させて設けた支持部材４３を前記クランプ等の連結具２２によって連結し、これら支持部４３ａ、４３ａの間に補助支柱３１の上部または下部を差し込むと共に、この補助支柱３１に軸支した支軸３２の両端を、前記支持部４３ａ、４３ａを摺動する摺動部材４４、４４に連結したものとしている。なお、支持部４３ａ、４３ａは、棒状体からなるものとし、この棒状体を屈曲させることにより長孔４２を設けたものとしているが、板状体からなるものとし、この板状体に穿孔することにより長孔４２を設けたものとしてもよい。角度調節手段４１は、図示した実施の態様では、設置面Ｓが右下がりの傾斜面であるので、出入口の外側から見て左側の支柱２１の上部に設けると共に、出入口の外側から見て右側の支柱２１の下部に設けたものとしているが、設置面Ｓが左下がりの傾斜面であれば、出入口の外側から見て左側の支柱２１の下部に設けると共に、出入口の外側から見て右側の支柱２１の上部に設けたものとすればよい。
【００２１】
そして、この発明の伸縮門扉は、前記縦枠１１ａ、１１ｂの一方を、前記補助支柱３１と平行になるように接近させて、この補助支柱３１に連結位置を変更自在にして連結したものとしている。このようにするには、縦枠１１ａ、１１ｂの一方の上下部に取り付けたクランプ等の連結具１６によって補助支柱３１に連結したものとし、その連結位置を変更させるには、連結具１６を緩めて縦枠１１ａ、１１ｂをずらせばよい。このようにすると、前記縦枠１１ａ、１１ｂの下端部に設けた車輪１３を、常に門扉の設置面Ｓに接触して転動するようにしておける。図示した実施の態様では、前記補助支柱３１に、出入口の外側から見て左側の縦枠１１ａを連結したものとしている。また、出入口の外側から見て右側の縦枠１１ｂは、補助支柱３１に添うようにして当接させたものとしている。なお、補助支柱３１に添うようにして当接させた縦枠１１ｂは、部外者の進入防止などのためにクランプ等の連結具１７によって、補助支柱３１に連結しておくこともできる。
【００２２】
さらに、門扉の設置面Ｓが前記したように右下がりまたは左下がりの傾斜面であって、しかも前下がりまたは後下がりの傾斜面である場合には、前記縦枠１１ａ、１１ｂおよび補助縦枠１５の下端部に設けた車輪１３は、図６、７に示したように、前記縦枠１１ａ、１１ｂおよび補助縦枠１５の下端部の前後部に設けたものとし、前方の車輪１３を前下がりの傾斜角に合わせて下げたり、後方の車輪１３を後下がりの傾斜角に合わせて下げることができるようにしている。
【００２３】
すなわち、図６に示した実施の態様では、前記縦枠１１ａ、１１ｂおよび補助縦枠１５の下端部に横枠４を前後に向けて固着し、この横枠４の前後端部に車輪１３を取り付けたものとしている。さらに、前方の車輪１３、後方の車輪１３、または前後両方の車輪１３のそれぞれの支軸１３ａをネジ棒とし、この支軸１３ａが横枠４を貫通するようにし、横枠４の上方から前記支軸１３ａに止ナット５を螺着したものとしている。
【００２４】
そして、図７に示した実施の態様では、前記縦枠１１ａ、１１ｂおよび補助縦枠１５の下端部を、横枠４の略中央に突設したブラケット６ａに軸支し、横枠４が前後動するようにしてこの横枠４に取り付け、前記横枠４の前後端部に車輪１３を取り付けたものとしている。さらに、前記横枠４の前後端に突設したブラケット６ｂと、前記縦枠１１ａ、１１ｂおよび補助縦枠１５の上部に設けたブラケット７の間に、長さ調節手段８を介在させて連結した上支軸９と下支軸１０を軸支して張設したものとしている。図示した実施の態様では、長さ調節手段８は、上支軸９のネジ部９ａと下支軸１０のネジ部１０との間にターンバックルＴを螺合させたものとしており、このターンバックルＴを正逆回転させることにより、上支軸９と下支軸１０の長さ調節ができるようにしている。
【００２５】
また、図８に示した実施の態様では、前記縦枠１１ａ、１１ｂおよび補助縦枠１５の下端部を、横枠４の略中央に突設したブラケット６に軸支し、横枠４が前後動するようにしてこの横枠４に取り付け、前記横枠４の前後端部に車輪１３を取り付けたものとしている。さらに、前記ブラケット６には円弧状の摺動孔１８を形成したものとし、この摺動孔１８に前記縦枠１１ａ、１１ｂおよび補助縦枠１５の下部に螺着した止ボルト１９の軸部が摺動するようにし、この止ボルト１９を締めて、ボルト頭部を摺動孔１８の縁部に押圧させることにより、前記横枠４を任意の角度に位置決めできるようにしている。
【００２６】
以上のように構成したこの発明の伸縮門扉は、住宅や車庫、建設現場や資材置場の出入口等に設置する際に、その設置面Ｓが右下がりの傾斜面である場合には、図示したように角度調節手段４１によって、その設置面Ｓの傾斜角に応じて補助支柱３１を傾け、設置面Ｓに対して鉛直状態に調節する。すなわち、角度調節手段４１の摺動部材４４を、支持部材４３の支持部４３ａに添って、伸縮棚１方向に移動させることによって、補助支柱３１の下部を中心としてこの補助支柱３１を伸縮棚１方向に傾ける。そして、補助支柱３１に連結した縦枠１１ａの連結具１６を緩めて、縦枠１１ａの下端部に設けた車輪１３を設置面Ｓに接触するように、縦枠１１ａを上方または下方にずらして、連結具１６を締めればよい。
【００２７】
さらに、この発明の伸縮門扉は、前記設置面Ｓが水平面である場合には、角度調節手段４１によって、前記傾けた補助支柱３１を水平面に対して鉛直になるように戻し、設置面Ｓに対して鉛直状態に調節すればよい。そして、前記したのと同様に、補助支柱３１に連結した縦枠１１ａの連結具１６を緩めて、縦枠１１ａの下端部に設けた車輪１３を設置面Ｓに接触するように、縦枠１１ａを上方または下方にずらして、連結具１６を締めればよい。
【００２８】
また、この発明の伸縮門扉は、前記設置面Ｓが左下がりの傾斜面である場合には、前記角度調節手段４１を出入口の外側から見て左側の支柱２１の下部に設けると共に、出入口の外側から見て右側の支柱２１の上部に設けたものとして、前記設置面Ｓが右下がりの傾斜面である場合と同様にして、住宅や車庫、建設現場や資材置場の出入口等に設置すればよい。
【００２９】
なお、この発明の伸縮門扉は、前記角度調節手段４１の操作状態が悪くなったり故障したとしても、その角度調節手段４１のみを修理したり交換すればよいので、維持、補修が容易なものとなる。
【００３０】
さらに、この発明の伸縮門扉は、前記設置面Ｓが水平面であったり、設置面Ｓが右下がりまたは左下がりの傾斜面であって、さらに前下がりまたは後下がりの傾斜面である場合には、前記したような角度調節手段４１の操作と同時に、車輪１３の支軸１３ａの長さ調節や長さ調節手段８の操作によって、前方の車輪１３を前下がりの傾斜角に合わせて下げたり、後方の車輪１３を後下がりの傾斜角に合わせて下げたものとして、住宅や車庫、建設現場や資材置場の出入口等に設置すればよい。
【００３１】
すなわち、この発明の伸縮門扉は、図６に示したように、その設置面Ｓが前下がりの傾斜面である場合には、前方の車輪１３の支軸１３ａに螺着した止めナット５を回して上方に上げることにより、前方の車輪１３を前下がりの傾斜面の傾斜角に合わせて下げ、前後の車輪１３が設置面Ｓに設置するようにし、伸縮棚１のバランスが崩れないようにしている。なお、図示していないが、その設置面Ｓが後下がりの傾斜面である場合には、後方の車輪１３の支軸１３ａに螺着した止めナット５を回して上方に上げることにより、後方の車輪１３を後下がりの傾斜面の傾斜角に合わせて下げ、前後の車輪１３が設置面Ｓに設置するようにし、伸縮棚１のバランスが崩れないようにすればよい。
【００３２】
さらに、この発明の伸縮門扉は、図７に示したように、その設置面Ｓが前下がりの傾斜面である場合には、長さ調節手段８のターンバックルＴを回転させて前方の車輪１３側の上支軸９と下支軸１０の長さを長くして、前方の車輪１３を前下がりの傾斜面の傾斜角に合わせて下げ、前後の車輪１３が設置面Ｓに設置するようにし、伸縮棚１のバランスが崩れないようにしている。なお、図示していないが、その設置面Ｓが後下がりの傾斜面である場合には、長さ調節手段８のターンバックルＴを回転させて後方の車輪１３側の上支軸９と下支軸１０の長さを長くして、後方の車輪１３を後下がりの傾斜面の傾斜角に合わせて下げ、前後の車輪１３が設置面Ｓに設置するようにし、伸縮棚１のバランスが崩れないようにすればよい。
【００３３】
また、この発明の伸縮門扉は、図８に示したように、その設置面Ｓが前下がりの傾斜面である場合には、止ボルト１９を緩めて横枠４が前後動するようにし、前方の車輪１３を前下がりの傾斜面の傾斜角に合わせて下げ、再度止ボルト１９を締めて横枠４を位置決めし、前後の車輪１３が設置面Ｓに設置するようにし、伸縮棚１のバランスが崩れないようにしている。なお、図示していないが、その設置面Ｓが後下がりの傾斜面である場合にも、同様にして後方の車輪１３を後下がりの傾斜面の傾斜角に合わせて下げ、同様にして横枠４を位置決めし、前後の車輪１３が設置面Ｓに設置するようにし、伸縮棚１のバランスが崩れないようにすればよい。
【００３４】
このようにすると、この発明の伸縮門扉は、縦枠１１ａ、１１ｂの下端部に設けた車輪１３および補助縦枠１５の下端部に設けた車輪１３が設置面Ｓをスムーズに走行することになり、設置面Ｓが右下がりまたは左下がりの傾斜面であって、しかも前下がりまたは後下がりの傾斜面である場合にも円滑な開閉状態を維持することができる。
【図面の簡単な説明】
【００３５】
【図１】この発明の伸縮門扉を傾斜した設置面に設置し、その門扉を伸長させた状態を示す正面図である。
【図２】図１に示すこの発明の伸縮門扉を収縮させた状態を示す正面図である。
【図３】図１に示すこの発明の伸縮門扉の中間部を省略して拡大した状態を示す説明図である。
【図４】この発明の伸縮門扉の出入口の外側から見て左側の支柱の上部に設けられた角度調節手段の斜視図である。
【図５】この発明の伸縮門扉の出入口の外側から見て右側の支柱の下部に設けられた角度調節手段の斜視図である。
【図６】この発明の伸縮門扉の縦枠および補助縦枠の下端部への車輪の設置状態の一例を示す説明図である。
【図７】この発明の伸縮門扉の縦枠および補助縦枠の下端部への車輪の設置状態の他の例を示す説明図である。
【図８】この発明の伸縮門扉の縦枠および補助縦枠の下端部への車輪の設置状態のさらに他の例を示す説明図である。
【図９】従来の伸縮門扉の一例を示す正面図である。
【符号の説明】
【００３６】
１  伸縮棚
２  クロスバー
３  クロスバー
１１ａ  縦枠
１１ｂ  縦枠
１３  車輪
１５  補助縦枠
２１  支柱
３１  補助支柱
３２  支軸
４１  角度調節手段
４２  長孔
４３  支持部材
４３ａ  支持部
４４  摺動部材
Ｓ  設置面
【図１】
2008156885.tif 000003
【図２】
2008156885.tif 000004
【図３】
2008156885.tif 000005
【図４】
2008156885.tif 000006
【図５】
2008156885.tif 000007
【図６】
2008156885.tif 000008
【図７】
2008156885.tif 000009
【図８】
2008156885.tif 000010
【図９】
2008156885.tif 000011